(57)【要約】【課題】エレベータのドアパネルを取り外すことなく、１人の作業者によって簡易に曲損を補修する。【解決手段】エレベータドアパネル補修装置は、装置本体１０と、この装置本体１０に固定設置される押圧手段２０と、装置本体１０に脱着自在に設置される支持固定手段３０および固定手段４０と、単一の部材である支持部材５０とから構成されている。押圧手段２０は、ジャッキねじ２１を用いた構造となっており、このジャッキねじ２１に取り付けられた２つの羽状部材２２が装置本体１０の備える係止溝１１に嵌め込まれることによって固定設置されている。支持固定手段３０と固定手段４０は、エレベータのドアパネルが摺動移動する敷居溝に嵌め込まれることによって、装置本体１０を固定したり、ドアパネルを支持したりすることができる。支持部材５０は、敷居溝に嵌め込んでドアパネルを支持するために用いられる。【選択図】図１
2006016091.tif 000002
【特許請求の範囲】
【請求項１】
敷居溝に沿って摺動移動するエレベータのドアパネルに生じた曲損を補修するために用いられるエレベータドアパネル補修装置であって、
前記敷居溝に嵌め込むことによって装置本体を固定するとともに、補修対象である前記ドアパネルの片面を支持する支持固定手段と、
前記支持固定手段が支持する面とは逆のドアパネル面を押圧することによって、前記ドアパネルに生じた曲損を補修する押圧手段と、
を備えることを特徴とするエレベータドアパネル補修装置。
【請求項２】
請求項１に記載のエレベータドアパネル補修装置において、
前記支持固定手段は、前記装置本体に脱着自在に設置されていることを特徴とするエレベータドアパネル補修装置。
【請求項３】
敷居溝に沿って摺動移動するエレベータのドアシュー付きドアパネルに生じた曲損を補修するために用いられるエレベータドアパネル補修装置であって、
前記敷居溝に嵌め込むことによって装置本体を固定する固定手段と、
前記ドアシューによって前記敷居溝における摺動方向以外の動きを規制された前記ドアパネルを押圧することによって、前記ドアパネルに生じた曲損を補修する押圧手段と、
を備えることを特徴とするエレベータドアパネル補修装置。
【請求項４】
請求項３に記載のエレベータドアパネル補修装置において、
前記固定手段は、前記装置本体に脱着自在に設置されていることを特徴とするエレベータドアパネル補修装置。
【請求項５】
敷居溝に沿って摺動移動するエレベータのドアパネルに生じた曲損を補修するために用いられるエレベータドアパネル補修装置であって、
前記敷居溝に嵌め込むことによって装置本体を固定する固定手段と、
補修対象である前記ドアパネルの片面を支持するために前記敷居溝に嵌め込み設置される支持部材と、
前記支持部材が支持する面とは逆のドアパネル面を押圧することによって、前記ドアパネルに生じた曲損を補修する押圧手段と、
を備えることを特徴とするエレベータドアパネル補修装置。
【請求項６】
請求項５に記載のエレベータドアパネル補修装置において、
前記固定手段は、前記装置本体に脱着自在に設置されていることを特徴とするエレベータドアパネル補修装置。
【請求項７】
請求項１〜６のいずれか１項に記載のエレベータドアパネル補修装置において、
前記押圧手段は、ジャッキねじを用いて実現されていることを特徴とするエレベータドアパネル補修装置。
【発明の詳細な説明】
【技術分野】
【０００１】
本発明は、エレベータドアパネル補修装置に係り、特に、ドアパネルに生じた曲損を補修するのに好適なエレベータドアパネル補修装置に関するものである。
【背景技術】
【０００２】
従来、エレベータのドアパネルに曲損が生じた場合には、曲損部分をハンマーなどで叩きつけることによって補修を行っていた。また、この様な方法で曲がりが修正できない場合には、ドアパネル自体を取り外し、平板の上で叩いて補修したり、フォークリフトの爪先部分で加圧して補修を行ったりすることがなされていた。しかし、以上のような方法では、非常に手間が掛かるとともに騒音や振動が発生してしまうので、簡易な補修方法の実現が求められていた。
【０００３】
そこで、このような問題を解決するために、下記特許文献１のような技術が開示されている。下記特許文献１に記載の装置は、曲損の生じたドアパネルを取り外し、このドアパネルを支持枠と圧力付与部で挟み込み、圧力を掛けることによって補修するというものである。かかる装置によれば、誰でも迅速なる補修が行えるとされている。
【０００４】
【特許文献１】特開２０００−１６７６２２号公報
【発明の開示】
【発明が解決しようとする課題】
【０００５】
しかしながら、上記特許文献１に開示されている技術では、まずドアパネルを取り外し、このドアパネルを平らな場所に移動した上で補修作業を行わなければならない。この様な作業方法を採っていたのでは、少なくとも２人の作業者が必要となるとともに、ドアパネルを取り外さなければならないので、補修作業に長時間を要するとともに、多くの作業コストが掛かってしまうことになる。さらに、長時間エレベータを停止させなければならないという不具合も発生してしまう。
【０００６】
本発明は、上記課題の存在に鑑みて成されたものであって、ドアパネルを取り外すことなく、１人の作業者が簡易に補修作業を行うことができるエレベータドアパネル補修装置を提供することを目的とするものである。
【課題を解決するための手段】
【０００７】
本発明に係るエレベータドアパネル補修装置は、敷居溝に沿って摺動移動するエレベータのドアパネルに生じた曲損を補修するために用いられる補修装置であって、前記敷居溝に嵌め込むことによって装置本体を固定するとともに、補修対象である前記ドアパネルの片面を支持する支持固定手段と、前記支持固定手段が支持する面とは逆のドアパネル面を押圧することによって、前記ドアパネルに生じた曲損を補修する押圧手段と、を備えることを特徴とする。
【０００８】
また、本発明に係るエレベータドアパネル補修装置において、前記支持固定手段は、前記装置本体に脱着自在に設置することが可能である。
【０００９】
本発明に係る別のエレベータドアパネル補修装置は、敷居溝に沿って摺動移動するエレベータのドアシュー付きドアパネルに生じた曲損を補修するために用いられる補修装置であって、前記敷居溝に嵌め込むことによって装置本体を固定する固定手段と、前記ドアシューによって前記敷居溝における摺動方向以外の動きを規制された前記ドアパネルを押圧することによって、前記ドアパネルに生じた曲損を補修する押圧手段と、を備えることを特徴とする。
【００１０】
また、本発明に係る別のエレベータドアパネル補修装置において、前記固定手段は、前記装置本体に脱着自在に設置することが可能である。
【００１１】
本発明に係るさらに別のエレベータドアパネル補修装置は、敷居溝に沿って摺動移動するエレベータのドアパネルに生じた曲損を補修するために用いられる補修装置であって、前記敷居溝に嵌め込むことによって装置本体を固定する固定手段と、補修対象である前記ドアパネルの片面を支持するために前記敷居溝に嵌め込み設置される支持部材と、前記支持部材が支持する面とは逆のドアパネル面を押圧することによって、前記ドアパネルに生じた曲損を補修する押圧手段と、を備えることを特徴とする。
【００１２】
また、本発明に係るさらに別のエレベータドアパネル補修装置において、前記固定手段は、前記装置本体に脱着自在に設置することが可能である。
【００１３】
上記のような本発明に係るエレベータドアパネル補修装置において、前記押圧手段は、ジャッキねじを用いて実現することが可能である。
【発明の効果】
【００１４】
本発明によれば、エレベータのドアパネルを取り外すことなく、１人の作業者によって簡易にドアパネルに発生した曲損を補修することが可能となる。
【発明を実施するための最良の形態】
【００１５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１６】
図１は、本実施形態に係るエレベータドアパネル補修装置の全体構成を示す外観斜視図である。本実施形態に係るエレベータドアパネル補修装置は、装置本体１０と、この装置本体１０に固定設置される押圧手段２０と、装置本体１０に脱着自在に設置される支持固定手段３０および固定手段４０と、そして単一の部材である支持部材５０とから構成されている。
【００１７】
押圧手段２０は、ジャッキねじ２１を用いた構造となっており、このジャッキねじ２１に取り付けられた２つの羽状部材２２が装置本体１０の備える係止溝１１に嵌め込まれることによって固定設置されている。したがって、ジャッキねじ２１の一端側にある取手部２３を作業者が回転させることによってジャッキねじ２１は前後方向に移動可能となっている。なお、取手部２３設置側とは逆側のジャッキねじ２１端部には押し板２４が設置されており、この押し板２４がエレベータのドアパネルを押圧する作用部となる。
【００１８】
一方、装置本体１０に対して脱着自在に設置される支持固定手段３０と固定手段４０は、エレベータのドアパネルが摺動移動する敷居溝に嵌め込まれることによって、装置本体１０を固定したり、ドアパネルを支持したりすることができる部材である。これら支持固定手段３０と固定手段４０は、それぞれねじ孔３１，４１を備えており、このねじ孔３１，４１を使って装置本体１０とボルト１２によって接続されることになる。
【００１９】
また、単一の部材である支持部材５０は、敷居溝に嵌め込んでドアパネルを支持するために用いられる部材である。
【００２０】
次に、図２、図３、図４を用いて、本実施形態に係るエレベータドアパネル補修装置の使用方法を説明する。
【００２１】
［第１の使用方法］
第１の使用方法は、支持固定手段３０を用いてドアパネル６０の補修を行う場合のものであり、図２を用いて説明する。
【００２２】
一般的に、エレベータのドアパネル６０は、敷居溝６１に沿って摺動移動するように設置されている。このドアパネル６０の下端側にはドアシュー（不図示）が設置されており、このドアシューによってドアパネル６０は案内され、スムーズに摺動移動が可能となっている。第１の使用方法は、このドアシューを外した状態で実施されるものである。
【００２３】
まず、支持固定手段３０を敷居溝６１に嵌め込むことによって装置本体１０を固定するとともに、補修対象であるドアパネル６０の片面を支持させる。この状態から取手部２３を回転することによってジャッキねじ２１を前進させ、押し板２４をドアパネル６０の曲損部に押しつける。ドアパネル６０は、支持固定手段３０によって片側面を支持されるとともに、この面とは逆のドアパネル面を押し板２４によって押圧されるので、ドアパネル６０に生じた曲損が補修されることになる。なお、ドアシュー取り外しから曲損修正まで、これら一連の作業は、１人の作業者によって行うことが可能である。
【００２４】
［第２の使用方法］
第２の使用方法は、固定手段４０を用いてドアパネル６０の補修を行う場合のものであり、図３を用いて説明する。
【００２５】
上述した第１の使用方法では、ドアシューを取り外した場合の補修方法であったが、第２の使用方法は、ドアシュー６２が設置されたままの状態で実施される補修方法である。
【００２６】
まず、固定手段４０を敷居溝に嵌め込むことによって装置本体を固定する。このとき、ドアパネル６０はドアシュー６２によって敷居溝における摺動方向以外の動きを規制されているので、図３における紙面の左右方向において動きを規制されていることになる。この様な状態から取手部２３を回転することによってジャッキねじ２１を前進させ、押し板２４をドアパネル６０の曲損部に押しつける。ドアシュー６２によって動きを規制されたドアパネル６０は、押し板２４によって押圧されることになるので、ドアパネル６０に生じた曲損が補修されることになる。なお、第２の使用方法における曲損修正作業についても、１人の作業者によって行うことが可能である。
【００２７】
［第３の使用方法］
第３の使用方法は、固定手段４０と支持部材５０の２つを用いてドアパネル６０の補修を行う場合のものであり、図４を用いて説明する。第３の使用方法は、ドアシューを取り外した場合の補修方法である。
【００２８】
まず、固定手段４０を敷居溝６１に嵌め込むことによって装置本体を固定する。次に、支持部材５０をもう一つの敷居溝６１に嵌め込むことによって、補修対象であるドアパネル６０の片面を支持させる。この状態から取手部２３を回転することによってジャッキねじ２１を前進させ、押し板２４をドアパネル６０の曲損部に押しつける。ドアパネル６０は、支持部材５０によって片側面を支持されるとともに、この面とは逆のドアパネル面を押し板２４によって押圧されるので、ドアパネル６０に生じた曲損が補修されることになる。なお、第３の使用方法であっても、ドアシュー取り外しから曲損修正という一連の作業は、１人の作業者によって行うことが可能である。
【００２９】
以上、本発明の好適な実施形態について説明したが、本発明の技術的範囲は上記実施形態に記載の範囲には限定されない。上記実施形態には、多様な変更又は改良を加えることが可能である。例えば、押圧手段として採用したジャッキねじについては、油圧シリンダや電動ジャッキなど、ドアパネル６０を押圧して曲損を補修できるものであればどの様なものであっても良い。その様な変更又は改良を加えた形態も本発明の技術的範囲に含まれ得ることが、特許請求の範囲の記載から明らかである。
【図面の簡単な説明】
【００３０】
【図１】本実施形態に係るエレベータドアパネル補修装置の全体構成を示す外観斜視図である。
【図２】本実施形態に係るエレベータドアパネル補修装置の第１の使用方法を説明するための図である。
【図３】本実施形態に係るエレベータドアパネル補修装置の第２の使用方法を説明するための図である。
【図４】本実施形態に係るエレベータドアパネル補修装置の第３の使用方法を説明するための図である。
【符号の説明】
【００３１】
１０  装置本体、１１  係止溝、１２  ボルト、２０  押圧手段、２１  ジャッキねじ、２２  羽状部材、２３  取手部、２４  押し板、３０  支持固定手段、３１，４１  ねじ孔、４０  固定手段、５０  支持部材、６０  ドアパネル、６１  敷居溝、６２  ドアシュー。
【図１】
2006016091.tif 000003
【図２】
2006016091.tif 000004
【図３】
2006016091.tif 000005
【図４】
2006016091.tif 000006